(57)【要約】      （修正有）【課題】軽量かつ薄型である上、天井板に容易に着脱させることができる照明灯具を提供する。【解決手段】照明灯具は、固定板１、放熱フレーム、少なくとも１つの帯状ＬＥＤランプ３、導光板５、反射層６及び隙間部材７を備える。固定板１は、本体１１と、本体１１の周縁に延設された複数の固定片１２とを有する。放熱フレームは、端縁が互いに当接される複数の放熱枠２１を有する。放熱枠２１は、放熱部２１１と、放熱部２１１から延伸されたストッパ片２１２と、を有し、放熱枠２１の放熱部２１１が固定板１の固定片１２にそれぞれ着脱可能に固定され、少なくとも１つの放熱枠２１に挿入空間２１３が設けられる。帯状ＬＥＤランプ３は、一方の端部が少なくとも１つの放熱枠２１の挿入空間２１３に挿入され、他方の端部が少なくとも１つの放熱枠２１に固定される。【選択図】図３
0003168226.tif 000002
【実用新案登録請求の範囲】
【請求項１】
固定板、放熱フレーム、少なくとも１つの帯状ＬＥＤランプ、導光板、反射層及び隙間部材を備える照明灯具であって、
前記固定板は、本体と、前記本体の周縁に延設された複数の固定片と、を有し、
前記放熱フレームは、端縁が互いに当接される複数の放熱枠を有し、各前記複数の放熱枠は、放熱部と、前記放熱部から延伸されたストッパ片と、を有し、前記放熱枠の前記放熱部が前記固定板の前記固定片にそれぞれ着脱可能に固定され、少なくとも１つの前記放熱枠には前記放熱部と前記ストッパ片とで構成される挿入空間が設けられ、
前記少なくとも１つの帯状ＬＥＤランプは、一方の端部が少なくとも１つの前記放熱枠の前記挿入空間に挿入され、他方の端部が少なくとも１つの前記放熱枠に固定され、
前記導光板は、側端が前記帯状ＬＥＤランプに対応するように、前記固定板の前記本体と、前記放熱枠の前記ストッパ片との間に配置され、
前記反射層は、前記導光板と前記固定板の前記本体との間に配置され、
前記隙間部材は、前記導光板と前記放熱枠の前記ストッパ片との間に挟持されていることを特徴とする照明灯具。
【請求項２】
前記放熱枠の前記ストッパ片には、位置決めピンが突設され、
前記放熱枠の前記位置決めピン及び前記放熱部によって取り囲まれるように前記挿入空間が設けられ、
前記少なくとも１つの帯状ＬＥＤランプは、前記一方の端部が前記挿入空間に係合され、前記他方の端部が少なくとも１つの前記放熱枠の前記放熱部に固定されることを特徴とする請求項１に記載の照明灯具。
【請求項３】
前記放熱枠の前記放熱部は、中空状であり、その外縁に複数の溝状構造を備えていることを特徴とする請求項１または２に記載の照明灯具。
【請求項４】
前記導光板の前記固定板側の面には、複数のドットが形成され、
前記少なくとも１つの帯状ＬＥＤランプから離れるに従い、前記導光板の前記複数のドットの設置密度が高まり、前記少なくとも１つの帯状ＬＥＤランプに近くなるほど、前記導光板の前記ドットの設置密度が低くなることを特徴とする請求項１ないし３のいずれかに記載の照明灯具。
【請求項５】
前記反射層は、光反射片である、もしくは前記反射層は前記導光板又は前記固定板の前記本体に塗設され、
前記隙間部材は、光均一片又は少なくとも１つのストッパであることを特徴とする請求項１ないし４のいずれかに記載の照明灯具。
【請求項６】
固定板、放熱フレーム、複数の帯状ＬＥＤランプ、電源供給組立体、導光板、光反射片及び光均一片を備える照明灯具であって、
前記固定板は、本体と、前記本体の周縁に延設された複数の固定片と、を有し、
前記放熱フレームは、端縁が互いに当接される複数の放熱枠を有し、各前記複数の放熱枠は、放熱部と、前記放熱部から延伸されたストッパ片と、前記放熱部と前記ストッパ片とで構成される槽状の挿入空間とを有し、前記放熱枠の前記放熱部が前記固定板の前記固定片に着脱可能に固定され、前記放熱枠の前記ストッパ片は、前記本体に対して平行に、前記放熱部から前記本体の方向に向かって延伸され、
前記複数の帯状ＬＥＤランプは、回路基板と、前記回路基板に取り付けられた複数のＬＥＤと、を有し、前記回路基板は、一方の端部が前記放熱枠の前記挿入空間に挿設され、他方の端部の両側に接続部を備え、
前記電源供給組立体は、前記固定板の前記本体の外側面に配置され、前記複数の帯状ＬＥＤランプの前記回路基板の前記接続部と電気的に接続され、
前記導光板は、側端が前記複数の帯状ＬＥＤランプの前記複数のＬＥＤに対応するように、前記固定板の前記本体の内側面と、前記放熱枠の前記ストッパ片との間に配置され、
前記光反射片は、前記導光板と前記固定板の前記本体の前記内側面との間に配置され、
前記光均一片は、前記導光板と前記放熱枠の前記ストッパ片との間に挟持されていることを特徴とする照明灯具。
【請求項７】
前記放熱枠の前記ストッパ片には、位置決めピンが突設され、前記放熱枠それぞれの前記位置決めピン及び前記放熱部によって取り囲まれるように前記挿入空間が設けられ、
前記複数の帯状ＬＥＤランプの前記回路基板は、前記一方の端部が、前記放熱枠の前記挿入空間に挿入されて係合され、前記他方の端部が、前記放熱枠の前記放熱部上に固定され、前記複数の帯状ＬＥＤランプの前記回路基板の前記複数のＬＥＤが設けられていない側の面には、前記放熱枠の前記放熱部が当接されることを特徴とする請求項６に記載の照明灯具。
【請求項８】
前記放熱枠の前記放熱部は、中空状であり、その外縁に複数の溝状構造を備えていることを特徴とする請求項６または７に記載の照明灯具。
【請求項９】
前記電源供給組立体は、少なくとも１つの電源供給装置及び複数のケーブルを有し、
前記ケーブルは、前記少なくとも１つの前記電源供給装置と、前記複数の帯状ＬＥＤランプの前記回路基板の前記接続部とにそれぞれ電気的に接続されることを特徴とする請求項６ないし８のいずれかに記載の照明灯具。
【請求項１０】
前記電源供給装置は、前記固定板の前記本体の前記外側面に固定され、
前記固定板の前記本体の前記外側面には、ネジ山が内縁に設けられた複数の凸柱が突設され、
前記電源供給装置は、前記凸柱の前記内縁に設けられた前記ネジ山により、前記凸柱に螺設されることを特徴とする請求項６ないし９のいずれかに記載の照明灯具。
【考案の詳細な説明】
【技術分野】
【０００１】
本考案は、照明灯具に関し、特に、薄型で着脱が容易な照明灯具に関する。
【背景技術】
【０００２】
照明灯具は、種類が多いが、そのなかでも軽量鉄骨に取付ける灯具は、天井板に嵌設されて天井板から突出しないため見た目がよい。
【０００３】
図１を参照する。図１に示すように、従来の照明灯具の軽量鉄骨の天井板１ａは、一般に、縦横に交差する複数のＴ字状軽量鉄骨１１ａからなり、Ｔ字状軽量鉄骨１１ａによって取り囲まれるように形成された複数の方形（正方形又は長方形）空間１２ａを有する。この方形空間１２ａ内には、複数の蛍光ランプを有する照明灯具２ａが配置され、ランプカバー３ａにより覆われる。
【０００４】
しかし、天井板内に管路や構造物などが配置されると、従来の照明灯具は、それ自身の厚みにより、上述の管路又はその他の構造物に当たって設置できなくなる虞がある。特に、元々無かった箇所に照明灯具を設置する場合、このような問題が起き易かった。
【考案の概要】
【考案が解決しようとする課題】
【０００５】
本考案の目的は、側面の放熱フレーム上に光源が配置され、放熱フレームを組立式にすることにより、薄型で着脱が容易な照明灯具を提供することにある。
【課題を解決するための手段】
【０００６】
上記課題を解決するために、本考案の第１の形態にかかる照明灯具は、固定板、放熱フレーム、少なくとも１つの帯状ＬＥＤランプ、導光板、反射層及び隙間部材を備える照明灯具であって、前記固定板は、本体と、前記本体の周縁に延設された複数の固定片とを有し、前記放熱フレームは、端縁が互いに当接される複数の放熱枠を有し、各前記複数の放熱枠は、放熱部と、前記放熱部から延伸されたストッパ片とを有し、前記放熱枠の前記放熱部が前記固定板の前記固定片にそれぞれ着脱可能に固定され、少なくとも１つの前記放熱枠に前記放熱部と前記ストッパ片とで構成される挿入空間が設けられ、前記少なくとも１つの帯状ＬＥＤランプは、一方の端部が少なくとも１つの前記放熱枠の前記挿入空間に挿入され、他方の端部が少なくとも１つの前記放熱枠に固定され、前記導光板は、側端が前記帯状ＬＥＤランプに対応するように、前記固定板の前記本体と、前記放熱枠の前記ストッパ片との間に配置され、前記反射層は、前記導光板と前記固定板の前記本体との間に配置され、前記隙間部材は、前記導光板と前記放熱枠の前記ストッパ片との間に挟持されることを特徴とする。
【０００７】
上記課題を解決するために、本考案の第２の形態にかかる照明灯具は、固定板、放熱フレーム、複数の帯状ＬＥＤランプ、電源供給組立体、導光板、光反射片及び光均一片を備える照明灯具であって、前記固定板は、本体と、前記本体の周縁に延設された複数の固定片とを有し、前記放熱フレームは、端縁が互いに当接される複数の放熱枠を有し、各前記複数の放熱枠は、放熱部と、前記放熱部から延伸されたストッパ片と、前記放熱部と前記ストッパ片とで構成される槽状の挿入空間とを有し、前記放熱枠の前記放熱部が前記固定板の前記固定片に着脱可能に固定され、前記放熱枠の前記ストッパ片は、前記本体に対して平行に、前記放熱部から前記本体の方向に向かって延伸され、前記複数の帯状ＬＥＤランプは、回路基板と、前記回路基板に取り付けられた複数のＬＥＤと、を有し、前記回路基板は、一方の端部が前記放熱枠の前記挿入空間に挿設され、他方の端部の両側に接続部を備え、前記電源供給組立体は、前記固定板の前記本体の外側面に配置され、前記複数の帯状ＬＥＤランプの前記回路基板の前記接続部と電気的に接続され、前記導光板は、側端が前記複数の帯状ＬＥＤランプの前記複数のＬＥＤに対応するように、前記固定板の前記本体の内側面と、前記放熱枠の前記ストッパ片との間に配置され、前記光反射片は、前記導光板と前記固定板の前記本体の前記内側面との間に配置され、前記光均一片は、前記導光板と前記放熱枠の前記ストッパ片との間に挟持されることを特徴とする。
【考案の効果】
【０００８】
本考案にかかる照明灯具は、軽量かつ薄型である上、天井板に容易に着脱させることができる。
【図面の簡単な説明】
【０００９】
【図１】従来の照明灯具を示す分解斜視図である。
【図２】本考案の一実施形態にかかる照明灯具を示す斜視図である。
【図３】図２に示される照明灯具のＡの部分を示す部分分解拡大図である。
【図４】本考案の一実施形態にかかる照明灯具を示す分解斜視図である。
【図５】本考案の一実施形態にかかる照明灯具の放熱枠及び帯状ＬＥＤランプを示す分解斜視図である。
【図６】本考案の一実施形態にかかる照明灯具の導光板のドットを示す斜視図である。
【図７】本考案の一実施形態にかかる照明灯具の隙間部材がストッパであるときの状態を示す分解斜視図である。
【図８】本考案の一実施形態にかかる照明灯具の隙間部材がストッパであるときの状態を示す部分拡大図である。
【図９】本考案の一実施形態にかかる照明灯具の組立工程を示す流れ図である。
【考案を実施するための形態】
【００１０】
以下、本考案の実施形態について図に基づいて説明する。
【００１１】
図２〜図４に示すように、本考案の一実施形態にかかる照明灯具は、少なくとも固定板１、放熱フレーム２、帯状ＬＥＤランプ３、電源供給組立体４、導光板５、反射層６及び隙間部材７から構成される。放熱フレーム２は、固定板１に固定されている。帯状ＬＥＤランプ３は、放熱フレーム２に取り付けられている。導光板５、反射層６及び隙間部材７は、固定板１と放熱フレーム２との間に挟持されている。電源供給組立体４は、固定板１上に固定されている。
【００１２】
図４に示すように、本考案の一実施形態にかかる照明灯具の固定板１は、本体１１と、本体１１の周縁に延設された複数の固定片１２とを有する。固定板１の本体１１の外側面（図４の上面）には、内縁にネジ山が設けられた複数の凸柱１３が突設されている。固定板１は、本実施形態では４つの角が面取りされた方形（長方形又は正方形）状の態様であるが、その形状及び数はこれに限定されず、必要に応じて変更してもよい。
【００１３】
図３及び図４に示すように、本考案の一実施形態にかかる照明灯具の放熱フレーム２は、互いに当接された４つの放熱枠２１を有する。放熱枠２１の両端縁は、端縁を互いにしっかりと当接させることができるように、放熱枠２１の長辺に対して４５度の傾斜角度に形成されている。
【００１４】
放熱枠２１は、放熱部２１１と、放熱部２１１の端縁から延設されたストッパ片２１２とを有する。放熱部２１１は、中空状で、放熱面積を増大させるために複数の溝状構造２１１１が外縁に設けられている。放熱枠２１の放熱部２１１は、固定板１の固定片１２に当接して固定されているため、固定板１を介して放熱枠２１の熱を迅速に放熱させることができる。固定片１２に放熱部２１１を当接させる方式は、ネジによる螺設方式でもよい。ストッパ片２１２は、本体１１に対して平行に、放熱部２１１から本体１１の方向に向かって延伸されている。
【００１５】
少なくとも１つの放熱枠２１のストッパ片２１２には、固定板１に向かうように位置決めピン２１２１が突設されている。位置決めピン２１２１及び放熱部２１１によって取り囲まれるように、槽状の挿入空間２１３が設けられている。
【００１６】
本実施形態では、挿入空間２１３を形成する放熱枠２１の数は、４つであるため、帯状ＬＥＤランプ３の数も４つである。しかし、本発明はこの態様だけに限定されるわけではなく、実際に使用する際、挿入空間２１３を形成する放熱枠２１の数及び帯状ＬＥＤランプ３の数は、１つ、２つ又は３つ以上でもよい。
【００１７】
図４及び図５に示すように、本考案の一実施形態にかかる照明灯具の各帯状ＬＥＤランプ３は、回路基板３１と、回路基板３１上に配置された複数のＬＥＤ３２とを有する。回路基板３１は、一方の端部（図５において下端）が放熱枠２１の挿入空間２１３内に挿入されて係合され、他方の端部（図５において上端）が放熱枠２１の放熱部２１１に固定される。回路基板３１のＬＥＤ３２が設けられていない側の側面が放熱枠２１の放熱部２１１に当接されることにより、ＬＥＤ３２で発生した熱が、放熱枠２１の放熱部２１１へ迅速に伝達される。回路基板３１の他方の端部は、ネジにより螺設するなどの方式により放熱部２１１に固定される。帯状ＬＥＤランプ３の回路基板３１のＬＥＤ３２が取り付けられた側部（側面）には、ＬＥＤ３２と電気的に接続された接続部３３が両端部（図５において左端、右端）にそれぞれ設けられている。図２に示すように、接続部３３は、固定板１の面取りされた角に位置し、固定板１により覆われていない状態である。
【００１８】
放熱枠２１の放熱部２１１と回路基板３１との間には、熱伝導層（図示せず）が設けられている。回路基板３１の熱は、放熱部２１１及び回路基板３１に密着された熱伝導層により、放熱枠２１の放熱部２１１に迅速に伝達される。実際に使用する際、上述の熱伝導層は、サーマルグリース（ｔｈｅｒｍａｌ  ｇｒｅａｓｅ）又は熱伝導接着剤（ｈｅａｔ  ｃｏｎｄｕｃｔｉｖｅ  ｇｌｕｅ）でよいが、これに限定されるわけではない。
【００１９】
図４に示すように、本考案の一実施形態にかかる照明灯具の電源供給組立体４は、２つの電源供給装置４１及び複数本のケーブル４２を有する。電源供給装置４１は、固定板１の本体１１の外側面に固定されている。つまり、電源供給装置４１は、固定板１の凸柱１３に係合され、凸柱１３の内縁のネジ山に螺設されている。ケーブル４２は、電源供給装置４１と、帯状ＬＥＤランプ３の回路基板３１に設けられた接続部３３とにそれぞれ電気的に接続されている。各電源供給装置４１は、ケーブル４２を介して２つの帯状ＬＥＤランプ３と電気的に接続されている。本実施形態において電源供給装置４１は、上述の固定方式により固定されるが、この態様に限定されず、実際に使用する際、電源供給装置４１に接続されるケーブル４２の長さには制限がなく、即ち、必要に応じてケーブル４２の長さや、電源供給装置４１を固定させる位置を変更してもよい。例えば、長いケーブル４２を使用して、電源供給装置４１を固定板１以外の箇所に配置、固定することができる。
【００２０】
また、本実施形態では、電源供給装置４１の数は２つであるが、この態様に限定されず、帯状ＬＥＤランプ３又はＬＥＤ３２の数に応じて変えてもよい。つまり、電源供給装置４１の数は、必要に応じて１つ、２つ又は３つ以上にしてもよい。
【００２１】
図３及び図４に示すように、本考案の一実施形態にかかる照明灯具の導光板５は、互いに表裏の関係にある発光面５１（図４において下面）及び光反射面５２（図４において上面）と、発光面５１及び光反射面５２に接続された４つの入光面５３（図４において側面）とを有する。導光板５は、固定板１の本体１１の内側面（図４において下面）と、放熱フレーム２のストッパ片２１２との間に配置されている。ＬＥＤ３２の光線を導光板５内に効率よく入射させるために、導光板５の側端の入光面５３を帯状ＬＥＤランプ３のＬＥＤ３２に対応するように配置する。
【００２２】
図６に示すように、本考案の一実施形態にかかる照明灯具の導光板５の固定板１に近い面には、光を反射させる複数のドット（ｄｏｔ）５２１が設けられている。具体的には、導光板５の光反射面５２上にドット５２１が設けられている。導光板５のドット５２１は、帯状ＬＥＤランプ３から離れるに従って配置密度が高まり、帯状ＬＥＤランプ３に近くなるほど配置密度が低くなる。これにより導光板５に入射された光線が光反射面５２上に設けられたドット５２１を介して発光面５１から出射される際、光線分布が均一となる効果をもたらす。
【００２３】
図３及び図４に示すように、本考案の一実施形態にかかる照明灯具の反射層６は、導光板５の光反射面５２と、固定板１の本体１１の内側面との間に配置されている。本実施形態における反射層６の光反射片６１は、導光板５の光反射面５２と、固定板１の本体１１の内側面との間に挟持されているが、この態様に限定されるわけではなく、実際に使用する際、塗設方式により、導光板５の光反射面５２又は固定板１の本体１１の内側面（図示せず）に設けられてもよい。導光板５に入射した光線は、反射層６により反射される際の光損失を低減するため、導光板５に入射した光線が導光面５の発光面５１から出射される際、輝度が低減することがない。
【００２４】
図３及び図４に示すように、本考案の一実施形態にかかる照明灯具の隙間部材７は、導光板５の発光面５１と、放熱フレーム２のストッパ片２１２との間に挟持されている。隙間部材７は、外表面を平面状又はハニカム状（ｈｏｎｅｙｃｏｍｂ−ｓｈａｐｅｄ）（図示せず）に形成した光均一片７１であってもよい。また、図７及び図８に示すように、隙間部材７は、導光板５の発光面５１の周縁と、放熱フレーム２のストッパ片２１２との間に挟持されたストッパ７２でもよい。本実施形態のストッパ７２は４つであるが、この態様だけに限定されるわけではなく、１つの方形リング状又は２つのＬ字状に形成されてもよい。
【００２５】
図９に示すように、本考案の一実施形態にかかる照明灯具の組立工程は、以下のステップＳ１０１〜Ｓ１０４を含む。しかしながら、本考案は、以下の態様に限定されるわけではない。
【００２６】
Ｓ１０１：放熱枠２１上に帯状ＬＥＤランプ３を設置すると共に、放熱枠２１を組み立てて放熱フレーム２を製作する。
【００２７】
Ｓ１０２：放熱フレーム２のストッパ片２１２上に、隙間部材７、導光板５、反射層６、固定板１を順次設置する。
【００２８】
Ｓ１０３：固定板１の固定片１２に、放熱フレーム２の放熱部２１１を螺設させる。
【００２９】
Ｓ１０４：帯状ＬＥＤランプ３の接続部３３に、電源供給組立体４を接続させる。
【００３０】
使用する際は、組み立てが完成した照明灯具を、軽量鉄骨の天井板のＴ字状軽量鉄骨によって取り囲まれるように設けられた方形（正方形又は長方形）状の空間内に直接設置するだけで使用することができる。
【００３１】
当該分野の技術を熟知するものが理解できるように、本考案の好適な実施形態を上述の通り開示したが、本考案を限定するものではない。したがって、本考案の主旨と領域を逸脱しない範囲内で行われる各種の変更や修正は、本考案の実用新案登録請求の範囲に含まれる。
【符号の説明】
【００３２】
１  固定板
１ａ  軽量鉄骨の天井板
２  放熱フレーム
２ａ  照明灯具
３  帯状ＬＥＤランプ
３ａ  ランプカバー
４  電源供給組立体
５  導光板
６  反射層
７  隙間部材
１１  本体
１１ａ  Ｔ字状軽量鉄骨
１２  固定片
１２ａ  方形空間
１３  凸柱
２１  放熱枠
３１  回路基板
３２  ＬＥＤ
３３  接続部
４１  電源供給装置
４２  ケーブル
５１  発光面
５２  光反射面
５３  入光面
６１  光反射片
７１  光均一片
７２  ストッパ
２１１  放熱部
２１２  ストッパ片
２１３  挿入空間
５２１  ドット
２１１１  溝状構造
２１２１  位置決めピン
【図１】
0003168226.tif 000003
【図２】
0003168226.tif 000004
【図３】
0003168226.tif 000005
【図４】
0003168226.tif 000006
【図５】
0003168226.tif 000007
【図６】
0003168226.tif 000008
【図７】
0003168226.tif 000009
【図８】
0003168226.tif 000010
【図９】
0003168226.tif 000011